(57)【要約】    【課題】      ビット尤度を高めて誤り訂正復号を効果的に機能させることで、再送回数を低減してスループットを向上させること。    【解決手段】  重み付け制御部１０３は受信信号の信頼度に基づいて重みデータを作成し、重み付け部１０４は重みデータをビット尤度情報（復調信号）に乗算する。合成部１０５は、受信データが再送されたものではない場合は、重み付け後の復調信号をそのままデータ復号化部１０６へ出力し、受信データが再送されたものである場合は、重み付け後の復調信号と記憶部１０９から読み出した過去の受信信号の復調信号とを合成する。データ復号化部１０６は、合成部１０５から出力された復調信号に対して誤り訂正復号処理を行う。  【選択図】      図１
2005150914.tif 000002
【特許請求の範囲】
【請求項１】
自動再送制御を行い、再送時に復調信号を合成した信号に対して誤り訂正復号する通信装置であって、
受信信号を復調処理して復調信号を生成する復調手段と、
受信信号の信頼度に基づいて再送時の合成比率を示す重みデータを生成する重み付け制御手段と、
前記復調手段にて生成された復調信号と過去に受信した復調信号とを合成した信号を前記重みデータにより重み付けして合成する合成手段と、
前記合成手段にて合成された信号に対して誤り訂正復号を行う復号手段と、
を備えることを特徴とする通信装置。
【請求項２】
前記重み付け制御手段は、受信信号の信頼度が高いほど合成比率を高くする重みデータを生成することを特徴とする請求項１記載の通信装置。
【請求項３】
前記復号手段により復号した復号データに含まれる誤りビットを検出する誤り検出手段と、
前記誤り検出手段により検出された誤り有無情報に基づいて再送回数を判定する再送回数判定手段とを備え、
前記重み付け制御手段は、前記再送回数判定手段によって判定された再送回数に基づいて再送時の合成比率を示す重みデータを生成することを特徴とする請求項１記載の通信装置。
【請求項４】
前記重み付け制御手段は、再送回数が予め定めた回数を超えない場合は、過去に受信した復調信号の合成比率をゼロにする重みデータを生成することを特徴とする請求項３記載の通信装置。
【請求項５】
前記復号手段により復号した復号データに含まれる誤りビットを検出する誤り検出手段を備え、
前記重み付け制御手段は、前記誤り検出手段による誤り検出結果に基づいて再送時の合成比率を示す重みデータを生成することを特徴とする請求項１記載の通信装置。
【請求項６】
前記重み付け制御手段は、前記誤り検出手段によって検出した誤りビット数が少ないほど再送時の合成比率を高くする重みデータを生成することを特徴とする請求項５記載の通信装置。
【請求項７】
前記重み付け制御手段は、復号手段による誤り訂正復号処理中に生成されるパスメトリック情報に基づいて再送時の合成比率を示す重みデータを生成することを特徴とする請求項１記載の通信装置。
【請求項８】
前記重み付け制御手段は、前記復号手段により生成されるパスメトリックの確からしさが高いほど再送時の合成比率を高くする重みデータを生成することを特徴とする請求項７記載の通信装置。
【請求項９】
自動再送制御を行い、再送時に復調信号を合成した信号に対して誤り訂正復号する通信装置の誤り訂正方法であって、
受信信号を復調処理して復調信号を生成する復調工程と、
受信信号の信頼度に基づいて再送時の合成比率を示す重みデータを生成する重み付け制御工程と、
前記復調工程にて生成された復調信号と過去に受信した復調信号とを合成した信号を前記重みデータにより重み付けして合成する合成工程と、
前記合成工程にて合成された信号に対して誤り訂正復号を行う復号工程と、
を備えることを特徴とする誤り訂正方法。
【発明の詳細な説明】
【技術分野】
【０００１】
本発明は、自動再送制御方式と誤り訂正方式とを組み合わせた通信装置およびその誤り訂正方法に関する。
【背景技術】
【０００２】
従来から無線通信分野において、受信側装置で受信情報の誤り検出を行い、誤りが検出された場合には送信側装置へ情報の再送を要求し、送信側装置が情報を再送する自動再送制御（ＡＲＱ）方式が用いられている。
【０００３】
また、ＡＲＱ方式と誤り訂正方式とを組み合わせて、初めに受信した信号と再送された信号とを合成して、誤り訂正復号における入力信号の信頼度を表すビット尤度を高めたうえで受信情報の誤り訂正復号を行う誤り訂正方法が知られている（例えば、特許文献１）。
【特許文献１】特開２００２−１７１２４５号公報
【発明の開示】
【発明が解決しようとする課題】
【０００４】
しかしながら、従来の方式では、信頼度を考慮せずに再送データと過去に受信したデータとを単純に合成しているので、無線伝搬環境が悪いときに受信した再送データ等の信頼度が低いデータを用いた場合には合成してもビット尤度が高くならないと考えられる。そのため、誤り訂正が効果的に機能しなくなり、再送回数が増大してスループットが向上しないという問題が生じる。
【０００５】
本発明は係る点に鑑みてなされたものであり、誤り訂正能力を向上して再送回数を低減し、効率的な伝送を行うことができるＡＲＱ方式と誤り訂正方式とを組み合わせた通信装置およびその誤り訂正方法を提供するものである。
【課題を解決するための手段】
【０００６】
本発明の通信装置は、自動再送制御を行い、再送時に復調信号を合成した信号に対して誤り訂正復号する通信装置において、受信信号を復調処理して復調信号を生成する復調手段と、受信信号の信頼度に基づいて再送時の合成比率を示す重みデータを生成する重み付け制御手段と、前記復調手段にて生成された復調信号と過去に受信した復調信号とを合成した信号を前記重みデータにより重み付けして合成する合成手段と、前記合成手段にて合成された信号に対して誤り訂正復号を行う復号手段と、を備える構成を採る。
【０００７】
本発明の通信装置における前記重み付け制御手段は、受信信号の信頼度が高いほど合成比率を高くする重みデータを生成する構成を採る。
【０００８】
これらの構成により、合成する復調信号に対して、受信時の無線信号の受信状態から判断した信頼度に応じた重み付け処理を行うことができる。その際、信頼度の高い受信データの重みを高くし、信頼度の低い受信データの重みを低くすることで、従来の単純な加算による合成よりもビット尤度を高める合成を行うことができる。これにより、誤り訂正能力を向上して再送回数を低減し、効率的な伝送を行うことができる。
【０００９】
本発明の通信装置は、前記復号手段により復号した復号データに含まれる誤りビットを検出する誤り検出手段と、前記誤り検出手段により検出された誤り有無情報に基づいて再送回数を判定する再送回数判定手段とを備え、前記重み付け制御手段は、前記再送回数判定手段によって判定された再送回数に基づいて再送時の合成比率を示す重みデータを生成する構成を採る。
【００１０】
本発明の通信装置における前記重み付け制御手段は、再送回数が予め定めた回数を超えない場合は、過去に受信した復調信号の合成比率をゼロにする重みデータを生成する構成を採る。
【００１１】
これらの構成により、再送回数が一定数に達した時点でビット軟値情報に対して重み付け処理を行うことにより、一定数再送しても誤りない復号ができないような無線伝搬環境における受信データのビット軟値情報の重みを低くして、その後無線伝搬環境が好転したときに新たに受信した再送データのビット軟値情報に対する重みを相対的に高くすることができる。これにより、復号結果により無線伝搬環境の善し悪しを判断して重み付けを行うことができるため、誤り訂正能力を向上して再送回数を低減することができる。
【００１２】
本発明の通信装置は、前記復号手段により復号した復号データに含まれる誤りビットを検出する誤り検出手段を備え、前記重み付け制御手段は、前記誤り検出手段による誤り検出結果に基づいて再送時の合成比率を示す重みデータを生成する構成を採る。
【００１３】
本発明の通信装置における前記重み付け制御手段は、前記誤り検出手段によって検出した誤りビット数が少ないほど再送時の合成比率を高くする重みデータを生成する構成を採る。
【００１４】
これらの構成により、誤り訂正復号前のビット軟値情報に対して、誤り訂正復号後の誤りビット数に応じて復号データの信頼度を計り、重み付け処理をより的確に（復号後のデータの信頼度に合わせて）行うことができる。これにより、誤り訂正能力を向上して再送回数を低減することができる。
【００１５】
本発明の通信装置における前記重み付け制御手段は、復号手段による誤り訂正復号処理中に生成されるパスメトリック情報に基づいて再送時の合成比率を示す重みデータを生成する構成を採る。
【００１６】
本発明の通信装置における前記重み付け制御手段は、前記復号手段により生成されるパスメトリックの確からしさが高いほど再送時の合成比率を高くする重みデータを生成する構成を採る。
【００１７】
これらの構成により、誤り訂正復号前のビット軟値情報に対して、誤り訂正復号処理において生成したパスメトリック情報に応じて受信データの信頼度を計り、重み付け処理をより的確に（復号過程の信頼度に合わせて）行うことができる。これにより、誤り訂正能力を向上して再送回数を低減することができる。
【００１８】
本発明の誤り訂正方法は、自動再送制御を行い、再送時に復調信号を合成した信号に対して誤り訂正復号する通信装置の誤り訂正方法であって、受信信号を復調処理して復調信号を生成する復調工程と、受信信号の信頼度に基づいて再送時の合成比率を示す重みデータを生成する重み付け制御工程と、前記復調工程にて生成された復調信号と過去に受信した復調信号とを合成した信号を前記重みデータにより重み付けして合成する合成工程と、前記合成工程にて合成された信号に対して誤り訂正復号を行う復号工程と、を備える方法をとる。
【００１９】
この方法により、合成する復調信号に対して、受信時の無線信号の受信状態から判断した信頼度に応じた重み付け処理を行うことができる。その際、信頼度の高い受信データの重みを高くし、信頼度の低い受信データの重みを低くすることで、従来の単純な加算による合成よりもビット尤度を高める合成を行うことができる。これにより、誤り訂正能力を向上して再送回数を低減し、効率的な伝送を行うことができる。
【発明の効果】
【００２０】
本発明によれば、合成する復調信号に対して、受信時の無線信号の受信状態から判断した信頼度に応じた重み付け処理を行うことができ、その際、信頼度の高い受信データの重みを高くし、信頼度の低い受信データの重みを低くすることで、従来の単純な加算による合成よりもビット尤度を高める合成を行うことができる。これにより、誤り訂正能力を向上して再送回数を低減し、効率的な伝送を行うことができる。
【発明を実施するための最良の形態】
【００２１】
本発明の骨子は、受信時の無線信号の受信状態に応じて合成する受信データの重み付け処理を行うことである。
【００２２】
以下、本発明の実施の形態について図面を参照して詳細に説明する。
【００２３】
（実施の形態１）
図１は、本発明の第１の形態における通信装置の構成を示すブロック図である。
【００２４】
通信装置１００は、無線部１０１と、復調部１０２と、重み付け制御部１０３と、重み付け部１０４と、合成部１０５と、データ復号化部１０６と、誤り検出部１０７と、再送制御部１０８と、記憶部１０９と、データ符号化部１１０と、変調部１１１とから主に構成される。
【００２５】
無線部１０１は、アンテナで受信した無線信号の送受信処理を行う。具体的には、無線部１０１は、無線信号をベースバンド信号に変換し、さらにＡＤ変換してディジタル信号とし、復調部１０２へ出力する。また、無線部１０１は、変調部１１１にてディジタル変調処理された信号をＤＡ変換し、さらに無線信号へ変換してアンテナから送信する。
【００２６】
復調部１０２は、無線部１０１から出力されたディジタル信号に対して復調処理を行い、誤り訂正復号に用いるビット軟値情報（復調信号）を生成する。ビット軟値情報は、重み付け制御部１０３および重み付け部１０４へ出力される。なお、復調処理とは、逆拡散、同期検波、ディジタル復調等のことである。
【００２７】
重み付け制御部１０３は、復調部１０２から出力された各ビット軟値情報に対する重みデータを作成する。なお、重み付け制御部１０３における重みデータの作成の詳細は後述する。
【００２８】
重み付け部１０４は、重み付け制御部１０３において作成された重みデータをビット軟値情報に乗算する重み付け処理を行う。なお、重み付け部１０４における重み付け処理は乗算に限定されるものではなく、加減算や除算等を組み合わせることで実現するものであってもよい。
【００２９】
合成部１０５は、受信データが再送されたものではない場合は、重み付け部１０４から出力された重み付け後ビット軟値情報をそのままデータ復号化部１０６へ出力する。一方、合成部１０５は、受信データが再送されたものである場合は、重み付け部１０４から出力された重み付け後ビット軟値情報に記憶部１０９から読み出した過去に誤りを検出した時点のビット軟値情報を合成してデータ復号化部１０６へ出力する。
【００３０】
データ復号化部１０６は、合成部１０５から出力されたビット軟値情報に対して誤り訂正復号処理を行い、誤り検出部１０７へ出力する。
【００３１】
誤り検出部１０７は、データ復号化部１０６から出力された誤り訂正後データに対して誤り検出処理を行い、検出結果を示す誤り有無情報を再送制御部１０８および記憶部１０９に対して出力する。また、誤り検出部１０７は、誤りを検出しなかった場合には、誤り訂正復号された結果を受信データとして出力する。
【００３２】
再送制御部１０８は、誤り有無情報に基づいて再送要求情報を生成しデータ符号化部１１０へ出力する。なお、再送要求情報とは、誤りを検出しなかった場合には受信確認を示すＡｃｋであり、誤りを検出した場合にはデータの再送を要求するＮａｃｋである。
【００３３】
記憶部１０９は、誤り検出部１０７において誤りが検出された場合に、当該ビット軟値情報を内部メモリに格納する。
【００３４】
データ符号化部１１０は、送信データと再送要求情報（ＡｃｋまたはＮａｃｋ）とを符号化して変調部１１１へ出力する。
【００３５】
変調部１１１は、データ符号化部１１０にて符号化された情報を変調処理する。なお、変調処理とは、拡散処理、ディジタル変調処理等のことである。
【００３６】
以下、本発明の主要部分である重み付け制御部１０３の処理について、図２を用いて詳細に説明する。
【００３７】
図２は、ビット尤度区分と重みデータの対応を示す図である。
【００３８】
重み付け制御部１０３は、誤り訂正符号化ブロックなどブロック毎にビット尤度情報（例えば、ビット軟値情報の大きさ、または基準信号点からの近さなど）の平均値を算出し、その平均値と各閾値とを比較する尤度判定を行い、ビット尤度区分に応じた重みデータを選択して、重み付け部１０４へ出力する。
【００３９】
例えば、図２において、ビット尤度情報の平均値が閾値２よりも大きい場合、重みデータとして重み３を選択する。
【００４０】
なお、図２では、０以上閾値１未満、閾値１以上閾値２未満、閾値２以上、の３区分の例としたが、区分は３つでなく２つでも４つ以上でもよい。
【００４１】
また、閾値１および閾値２は予め定めてもよいし、過去複数のブロック間における平均などとの比率に応じて決まる値としてもよい。また、重み１、重み２、重み３は予め定めた値もよいし、過去複数のブロック間における平均などとの比率に応じて決まる値としてもよい。
【００４２】
また、ブロック単位で尤度判定と重み決定をするのではなく、ビット単位で各ビットに対して尤度判定と重み決定をしてもよい。ビット単位で尤度判定と重み決定をする場合には、図２の閾値１および閾値２は予め定めた値でもよいし、誤り訂正符号化ブロックなどブロック毎に求めた平均値や、過去複数のブロック間における平均などとの比率に応じて決まる値としてもよい。
【００４３】
また、誤り訂正符号化ブロックなどブロック毎に求めた平均値の代わりに、ブロック毎のヒストグラムを作成して、その最頻値や中央値を用いてもよい。また、平均値とそれらの組み合わせて決まる値を用いてもよい。
【００４４】
このように、本実施の形態によれば、合成するビット軟値情報に対して、受信時の無線信号の受信状態（ビット尤度情報、受信電力情報、ＳＩＲ情報など）から判断した信頼度に応じた重み付け処理を行うことができる。その際、信頼度の高い受信データの重みを高くし、信頼度の低い受信データの重みを低くすることで、従来の単純な加算による合成よりもビット尤度を高める合成を行うことができる。これにより、誤り訂正能力を向上して再送回数を低減し、効率的な伝送を行うことができる効果を有する。
【００４５】
なお、実施の形態１では、復調部１０２の出力に対して重み付け部１０４によって重み付けを行った後に合成部１０５で記憶部１０９に格納した過去に誤りを検出したときのビット軟値情報と合成する例を示したが、本発明はこれに限られず、復調部１０２の出力と記憶部１０９に格納した過去に誤りを検出したときのビット軟値情報とを合成部１０５で合成した後に重み付け部１０４によって重み付けを行う構成とすることも可能である。
【００４６】
なお、ビット尤度情報の代わりに、受信電力情報や信号対干渉電力比（ＳＩＲ）情報を用いてもよい。また、ビット尤度情報とそれらの組み合わせで決まる値を用いてもよい。
【００４７】
（実施の形態２）
図３は、本発明の第２の形態に係る通信装置の構成を示すブロック図である。なお、図３に示す通信装置３００において、図１に示した通信装置１００と共通する構成部分には図１と同一符号を付してその説明を省略する。
【００４８】
図３に示す通信装置３００は、図１と比較して、再送回数判定部３０１を追加した構成を採る。また、図３の通信装置３００は、重み付け制御部３０２の作用が図１の重み付け制御部１０３と異なる。
【００４９】
誤り検出部１０７は誤り有無情報を再送制御部１０８、記憶部１０９および再送回数判定部３０１に出力する。
【００５０】
再送回数判定部３０１は、誤り検出部１０７から出力されるデータ誤り有無情報に基づいてデータの再送回数をカウントする。再送回数が予め定めた回数に達した場合、その旨を重み付け制御部３０２に通知する。
【００５１】
重み付け制御部３０２は、尤度判定結果に基づいて、各ビット軟値情報に対する重みデータを仮決定し、再送回数判定部３０１から再送回数が予め定めた回数に達したことを通知されると、仮決定した重みデータを重み付け部１０４に出力する。なお、重み付け制御部３０２は、回数に達したことを通知されるまでは、重み付け処理の乗算において演算結果を変化させない「１」を重み付け部１０４に出力する。
【００５２】
この結果、重み付け部１０４は、再送回数が予め定めた回数に達するまでは重み付けを行わず、復調部１０２から出力されたビット軟値情報をそのまま合成部１０５へ出力する。
【００５３】
このように、本実施の形態によれば、再送回数が一定数に達した時点でビット軟値情報に対して重み付け処理を行うことにより、一定数再送しても誤りない復号ができないような無線伝搬環境における受信データのビット軟値情報の重みを低くして、その後無線伝搬環境が好転したときに新たに受信した再送データのビット軟値情報に対する重みを相対的に高くすることができる。これにより、復号結果により無線伝搬環境の善し悪しを判断して重み付けを行うことができるため、誤り訂正能力を向上して再送回数を低減する効果を有する。
【００５４】
（実施の形態３）
図４は、本発明の第３の形態に係る通信装置の構成を示すブロック図である。なお、図４に示す通信装置４００において、図１に示した通信装置１００と共通する構成部分には図１と同一符号を付してその説明を省略する。
【００５５】
図４に示す通信装置４００は、図１と比較して、誤り検出部４０１の作用が図１の誤り検出部１０７と異なり、重み付け制御部４０２の作用が図１の重み付け制御部１０３と異なり、重み付け部４０３の作用が図１の重み付け部１０４と異なる。
【００５６】
復調部１０２は、無線部１０１から出力されたディジタル信号に対して復調処理を行い、誤り訂正復号に用いるビット軟値情報を生成する。ビット軟値情報は、合成部１０５へ出力される。
【００５７】
合成部１０５は、受信データが再送されたものではない場合は、復調部１０２から出力されるビット軟値情報をそのままデータ復号化部１０６へ出力する。一方、合成部１０５は、受信データが再送されたものである場合は、復調部１０２から出力されるビット軟値情報と、記憶部１０９から読み出した過去に誤りを検出した時点のビット軟値情報とを合成してデータ復号化部１０６および重み付け部４０３へ出力する。
【００５８】
データ復号化部１０６は、合成されたビット軟値情報に対して誤り訂正復号処理を行い、誤り検出部４０１へ出力する。
【００５９】
誤り検出部４０１は、データ復号化部１０６から出力される誤り訂正後データに対して誤り検出処理を行い、誤り有無情報を再送制御部１０８および記憶部１０９に対して出力する。また、誤り検出部４０１は、誤りを検出した場合には、誤りビット数情報を重み付け制御部４０２へ出力する。一方、誤り検出部４０１は、誤りを検出しなかった場合には、誤り訂正復号された結果を受信データとして出力する。
【００６０】
重み付け制御部４０２は、復号データの信頼度を示す誤りビット数情報に基づいて、ビット軟値情報に対する重み付けの重みデータを作成して重み付け部４０３に出力する。なお、重み付け制御部４０２における重みデータの作成の詳細は後述する。
【００６１】
重み付け部４０３は、重みデータと合成部１０５から出力されたビット軟値情報との重み付け処理を行う。
【００６２】
なお、重み付け部４０３における重み付け処理は乗算に限定されるものではなく、加減算や除算等を組み合わせることで実現するものであってもよい。
【００６３】
記憶部１０９は、誤り検出部４０１からの誤り有無情報に応じて、重み付け部４０３において重み付けされたビット軟値情報を内部メモリに格納する。また、格納されたビット軟値情報を合成部１０５へ出力する。
【００６４】
以下、本発明の主要部分である、重み付け制御部４０２の処理について、図５を用いて詳細に説明する。
【００６５】
図５は、誤りビット数区分と重みの対応を示す図である。なお、図５では、１以上閾値３未満、閾値３以上閾値４未満、閾値４以上、の３区分の例としたが、区分は３つでなく２つでも４つ以上でもよい。また、閾値３、閾値４は、予め定めた値もよいし、過去複数のブロック間における誤りビット数の平均などとの比率に応じて決まる値としてもよい。
【００６６】
重み付け制御部４０２は、誤り検出部４０１から出力される誤りビット数情報を図５のいずれかの誤りビット数区分に分類して、分類した区分に対応した重みを、重み４、重み５、重み６の中から選択する。重み付け制御部４０２は、このように求めた重みデータを重み付け部４０３へ出力する。
【００６７】
このように、本実施の形態によれば、誤り訂正復号前のビット軟値情報に対して、誤り訂正復号後の誤りビット数に応じて復号データの信頼度を計り、重み付け処理をより的確に（復号後のデータの信頼度に合わせて）行うことができる。これにより、誤り訂正能力を向上して再送回数を低減することができる効果を有する。
【００６８】
（実施の形態４）
図６は、本発明の第４の形態に係る通信装置の構成を示すブロック図である。なお、図６に示す通信装置６００において、図４に示した通信装置４００と共通する構成部分には図４と同一符号を付してその説明を省略する。
【００６９】
図６に示す通信装置６００は、図４と比較して、データ復号化部６０１の作用が図４のデータ復号化部１０６と異なり、誤り検出部６０２の作用が図４の誤り検出部４０１と異なり、重み付け制御部６０３の作用が図４の重み付け制御部４０２と異なる。
【００７０】
データ復号化部６０１は、合成されたビット軟値情報に対して誤り訂正復号処理を行い、誤り訂正後データを誤り検出部６０２へ出力する。一方、データ復号化部６０１は、誤り訂正復号処理において生成したパスメトリック情報を重み付け制御部６０３へ出力する。パスメトリック情報の詳細については後述する。
【００７１】
誤り検出部６０２は、データ復号化部６０１から出力される誤り訂正後データに対して誤り検出処理を行い、誤り有無情報を再送制御部１０８および記憶部１０９に対して出力する。一方、誤り検出部６０２は、誤りを検出しなかった場合には、誤り訂正復号された結果を受信データとして出力する。
【００７２】
重み付け制御部６０３は、パスメトリック情報に基づいて、ビット軟値情報に対する重み付けの重みデータを作成して重み付け部４０３に出力する。
【００７３】
重み付け部４０３は、重みデータと合成部１０５から出力されたビット軟値情報との重み付け処理を行う。
【００７４】
以下、本発明の主要部分である、データ復号化部６０１および重み付け制御部６０３の処理について、図７を用いて詳細に説明する。
【００７５】
データ復号化部６０１は、ビット軟値情報に基づいて、畳み込み符号やターボ符号の最尤復号処理を行う。最尤復号処理では、受信したビット軟値情報から、送信側で符号化された送信ビットがどのようなパターンであったと推測するのが最も確からしいかを計算する。この確からしさ（信頼度）のことをパスメトリックという。パスメトリックは復号結果の確からしさを示す指標の一つと見なすことができる。データ復号化部６０１は、最尤復号処理で生成したパスメトリックを重み付け制御部６０３へ出力する。
【００７６】
図７は、パスメトリック区分と重みの対応を示す図である。なお、図７では、閾値５未満、閾値５以上閾値６未満、閾値６以上、の３区分の例としたが、区分は３つでなく２つでも４つ以上でもよい。なお、閾値５、閾値６は、予め定めた値もよいし、過去複数のブロック間における誤りビット数の平均などとの比率に応じて決まる値としてもよい。
【００７７】
重み付け制御部６０３は、データ復号化部６０１から出力されるパスメトリック情報を図７のいずれかのパスメトリック区分に分類して、分類した区分に対応した重みデータを、重み７、重み８、重み９の中から選択する。重み付け制御部６０３は、このように求めた重みデータを重み付け部４０３へ出力する。
【００７８】
このように、本実施の形態によれば、誤り訂正復号前のビット軟値情報に対して、誤り訂正復号処理において生成したパスメトリック情報に応じて受信データの信頼度を計り、重み付け処理をより的確に（復号過程の信頼度に合わせて）行うことができる。これにより、誤り訂正能力を向上して再送回数を低減することができる効果を有する。
【産業上の利用可能性】
【００７９】
本発明は、限られた無線帯域を利用して効率的なデータ伝送を行う無線通信システムの基地局装置および移動端末装置に用いるに好適である。
【図面の簡単な説明】
【００８０】
【図１】本発明の実施の形態１に係る通信装置の構成を示すブロック図
【図２】上記実施の形態に係る尤度区分と重みの対応を示す図
【図３】本発明の実施の形態２に係る通信装置の構成を示すブロック図
【図４】本発明の実施の形態３に係る通信装置の構成を示すブロック図
【図５】上記実施の形態に係る誤りビット数区分と重みの対応を示す図
【図６】本発明の実施の形態４に係る通信装置の構成を示すブロック図
【図７】上記実施の形態に係るパスメトリック区分と重みの対応を示す図
【符号の説明】
【００８１】
１００、３００、４００、６００  通信装置
１０１  無線部
１０２  復調部
１０３、３０２、４０２、６０３  重み付け制御部
１０４、４０３  重み付け部
１０５  合成部
１０６、６０１  データ復号化部
１０７、４０１、６０２  誤り検出部
１０８  再送制御部
１０９  記憶部
１１０  データ符号化部
１１１  変調部
３０１  再送回数判定部
【図１】
2005150914.tif 000003
【図２】
2005150914.tif 000004
【図３】
2005150914.tif 000005
【図４】
2005150914.tif 000006
【図５】
2005150914.tif 000007
【図６】
2005150914.tif 000008
【図７】
2005150914.tif 000009